【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
バルブ毎に単一のリフトローブを有するカムに係合するロッカーアームであって、
第１の外側サイドアーム及び第１の外側サイドアームを含む外側アームと、
第１の内側サイドアーム、第２サイドアーム、及びカムの単一のリフトローブからロッカーアームへ運動を伝達するように構成されたカム接触部材を含む内側アームと、を含み、内側アームは、第１の外側サイドアームと第２の外側サイドアームの間に配置され、カム接触部材は、第１の内側サイドアームと第２の内側サイドアームの間に配置され、
内側アームを外側アームに固定するピボット軸をさらに含み、ピボット軸は、内側アームの外側アームに対するピボット軸回りの回転運動が可能なように構成され、
外側アームに固定され、カム接触部材と付勢接触する少なくとも１つの付勢バネをさらに含む、ことを特徴とするロッカーアーム。
【請求項２】
前記ロッカーアームは、内側アームを外側アームに対して選択的に固定し、内側アームの外側アームに対するピボット軸回りのロストモーション運動を選択的に可能にするラッチを含むことを特徴とする請求項１に記載のロッカーアーム。
【請求項３】
前記ロッカーアームは、第１端及び第２端をさらに含み、ピボット軸は第１端に近接して配置され、付勢バネは、第２端に近接して外側アームに取付けられ、カム接触部材軸は、ピボット軸と付勢バネとの間に配置されることを特徴とする請求項１にロッカーアーム。
【請求項４】
ラッチは、該ラッチの向きを定めるとともに該ラッチの回転を防止する表面を含むことを特徴とする請求項１に記載のロッカーアーム。
【請求項５】
少なくとも１つの付勢バネは、外側アームに固定された少なくとも１つのねじりバネを含み、該少なくとも１つのねじりバネは、カム接触部材と付勢接触するバネアームを有することを特徴とする請求項１に記載のロッカーアーム。
【請求項６】
少なくとも１つの付勢バネは、第１及び第２の付勢バネを含み、第１の付勢バネは、第１の外側アームに固定され、第２の付勢バネは、第２の外側アームに固定され、第１及び第２の付勢バネは、カム接触部材と付勢接触することを特徴とする請求項１に記載のロッカーアーム。
【請求項７】
カム接触部材は、ベアリング軸に取り付けられたベアリングを含むことを特徴とする請求項１に記載のロッカーアーム。
【請求項８】
ピボット軸に取り付けられたバルブパッドをさらに含むことを特徴とする請求項１に記載のロッカーアーム。
【請求項９】
少なくとも１つの付勢バネは、略四角形または略台形の断面を有するワイヤを含むことを特徴とする請求項１に記載のロッカーアーム。
【請求項１０】
少なくとも１つの付勢バネは、少なくとも１つの付勢バネの表面に残留圧縮応力を付加するように処理された高強度合金鋼を含むことを特徴とする請求項１に記載のロッカーアーム。
【請求項１１】
単一のリフトローブを有するカムに係合するロッカーアームであって、
第１の外側サイドアーム及び第２の外側サイドアームを含む外側アームと、
第１の内側サイドアーム及び第２の内側サイドアームを含む内側アームと、を含み、内側アームは、第１の外側サイドアームと第２の外側サイドアームの間に配置され、
カムの単一のリフトローブからロッカーアームへ運動を伝達するように構成されたカム接触部材をさらに含み、カム接触部材は、第１の内側アームと第２の内側アームの間に配置されて、ベアリング軸に取り付けられており、
内側アームを外側アームに固定するピボット軸をさらに含み、ピボット軸は、内側アームの外側アームに対するピボット軸回りの回転運動が可能なように構成され、
外側アームに固定され、カム接触部材と付勢接触する少なくとも１つの付勢バネをさらに含む、ことを特徴とするロッカーアーム。
【請求項１２】
少なくとも１つの付勢バネは、第１及び第２の外側アームに取り付けられた第１及び第２のねじりバネを含み、第１及び第２のねじりバネは、カム接触部材と付勢接触することを特徴とする請求項１１に記載のロッカーアーム。
【請求項１３】
第１及び第２のねじりバネのそれぞれの端部は、カム接触部材の側面の第１及び第２のスロット部内に取り付けられて、第１及び第２のねじりバネのカム接触部材との付勢接触が維持されることを特徴とする請求項１２に記載のロッカーアーム。
【請求項１４】
前記ロッカーアームは、第１端及び第２端をさらに含み、ピボット軸は第１端に近接して配置され、付勢バネは、第２端に近接して外側アームに固定され、カム接触部材は、前記第１端と前記第２端との間に配置されることを特徴とする請求項１１に記載のロッカーアーム。
【請求項１５】
外側アームは、内側アームを外側アームに対して選択的に固定し、内側アームの外側アームに対するピボット軸回りのロストモーション運動を選択的に可能にするラッチをさらに含むことを特徴とする請求項１１に記載のロッカーアーム。
【請求項１６】
外側アームは、作動流体源からラッチへ流体圧を伝達するためのポートをさらに含むことを特徴とする請求項１５に記載のロッカーアーム。
【請求項１７】
第１及び第２の外側サイドアームのそれぞれは、ピボット軸開口部、ベアリング軸スロット部、クリップ開口部、及びバネ取付部を含むことを特徴とする請求項１１に記載のロッカーアーム。
【請求項１８】
少なくとも１つの付勢バネは、略四角形または略台形の断面を有するワイヤを含むことを特徴とする請求項１１に記載のロッカーアーム。
【請求項１９】
少なくとも１つの付勢バネは、長さ及び幅を有する断面を備えたワイヤを含み、断面の平均幅に対する断面の平均長の比率は１より大きいことを特徴とする請求項１１に記載のロッカーアーム。
【請求項２０】
少なくとも１つの付勢バネは、少なくとも１つの付勢バネの表面に残留圧縮応力を付加するように処理された高強度合金鋼を含むことを特徴とする請求項１１に記載のロッカーアーム。
【手続補正２】
【補正対象書類名】図面
【補正対象項目名】図６２
【補正方法】変更
【補正の内容】
【図６２】
2015534005.tif 000001
【手続補正３】
【補正対象書類名】図面
【補正対象項目名】図６３
【補正方法】変更
【補正の内容】
【図６３】
2015534005.tif 000002
【手続補正４】
【補正対象書類名】図面
【補正対象項目名】図６８
【補正方法】変更
【補正の内容】
【図６８】
2015534005.tif 000003
【手続補正５】
【補正対象書類名】図面
【補正対象項目名】図７２
【補正方法】変更
【補正の内容】
【図７２】
2015534005.tif 000004
【手続補正６】
【補正対象書類名】図面
【補正対象項目名】図７３
【補正方法】変更
【補正の内容】
【図７３】
2015534005.tif 000005
【手続補正７】
【補正対象書類名】図面
【補正対象項目名】図７６
【補正方法】変更
【補正の内容】
【図７６】
2015534005.tif 000006
【手続補正８】
【補正対象書類名】図面
【補正対象項目名】図７８
【補正方法】変更
【補正の内容】
【図７８】
2015534005.tif 000007
【手続補正９】
【補正対象書類名】図面
【補正対象項目名】図７９Ａ
【補正方法】変更
【補正の内容】
【図７９Ａ】
2015534005.tif 000008
【手続補正１０】
【補正対象書類名】図面
【補正対象項目名】図７９Ｂ
【補正方法】変更
【補正の内容】
【図７９Ｂ】
2015534005.tif 000009
【手続補正１１】
【補正対象書類名】図面
【補正対象項目名】図８０
【補正方法】変更
【補正の内容】
【図８０】
2015534005.tif 000010
【手続補正１２】
【補正対象書類名】図面
【補正対象項目名】図８１
【補正方法】変更
【補正の内容】
【図８１】
2015534005.tif 000011
【手続補正１３】
【補正対象書類名】図面
【補正対象項目名】図８８
【補正方法】変更
【補正の内容】
【図８８】
2015534005.tif 000012
【手続補正１４】
【補正対象書類名】図面
【補正対象項目名】図８９Ａ
【補正方法】変更
【補正の内容】
【図８９Ａ】
2015534005.tif 000013
【手続補正１５】
【補正対象書類名】図面
【補正対象項目名】図８９Ｂ
【補正方法】変更
【補正の内容】
【図８９Ｂ】
2015534005.tif 000014
【手続補正１６】
【補正対象書類名】図面
【補正対象項目名】図９０
【補正方法】変更
【補正の内容】
【図９０】
2015534005.tif 000015
【手続補正１７】
【補正対象書類名】図面
【補正対象項目名】図９１
【補正方法】変更
【補正の内容】
【図９１】
2015534005.tif 000016
【手続補正１８】
【補正対象書類名】図面
【補正対象項目名】図９２
【補正方法】変更
【補正の内容】
【図９２】
2015534005.tif 000017
【手続補正１９】
【補正対象書類名】図面
【補正対象項目名】図９３Ａ
【補正方法】変更
【補正の内容】
【図９３Ａ】
2015534005.tif 000018
【手続補正２０】
【補正対象書類名】図面
【補正対象項目名】図９３Ｂ
【補正方法】変更
【補正の内容】
【図９３Ｂ】
2015534005.tif 000019
【手続補正２１】
【補正対象書類名】図面
【補正対象項目名】図９３Ｃ
【補正方法】変更
【補正の内容】
【図９３Ｃ】
2015534005.tif 000020
【手続補正２２】
【補正対象書類名】図面
【補正対象項目名】図９４
【補正方法】変更
【補正の内容】
【図９４】
2015534005.tif 000021
【手続補正２３】
【補正対象書類名】図面
【補正対象項目名】図９５
【補正方法】変更
【補正の内容】
【図９５】
2015534005.tif 000022
【手続補正２４】
【補正対象書類名】図面
【補正対象項目名】図９６
【補正方法】変更
【補正の内容】
【図９６】
2015534005.tif 000023
【手続補正２５】
【補正対象書類名】図面
【補正対象項目名】図９７
【補正方法】変更
【補正の内容】
【図９７】
2015534005.tif 000024
【手続補正２６】
【補正対象書類名】図面
【補正対象項目名】図９８
【補正方法】変更
【補正の内容】
【図９８】
2015534005.tif 000025
【手続補正２７】
【補正対象書類名】図面
【補正対象項目名】図９９
【補正方法】変更
【補正の内容】
【図９９】
2015534005.tif 000026
【手続補正２８】
【補正対象書類名】図面
【補正対象項目名】図１００
【補正方法】変更
【補正の内容】
【図１００】
2015534005.tif 000027
【手続補正２９】
【補正対象書類名】図面
【補正対象項目名】図１０１
【補正方法】変更
【補正の内容】
【図１０１】
2015534005.tif 000028
【手続補正３０】
【補正対象書類名】図面
【補正対象項目名】図１０２
【補正方法】変更
【補正の内容】
【図１０２】
2015534005.tif 000029
【手続補正３１】
【補正対象書類名】図面
【補正対象項目名】図１０３
【補正方法】変更
【補正の内容】
【図１０３】
2015534005.tif 000030
【手続補正３２】
【補正対象書類名】図面
【補正対象項目名】図１０４
【補正方法】変更
【補正の内容】
【図１０４】
2015534005.tif 000031
【手続補正３３】
【補正対象書類名】図面
【補正対象項目名】図１０５
【補正方法】変更
【補正の内容】
【図１０５】
2015534005.tif 000032
【手続補正３４】
【補正対象書類名】図面
【補正対象項目名】図１０６
【補正方法】変更
【補正の内容】
【図１０６】
2015534005.tif 000033
【手続補正３５】
【補正対象書類名】図面
【補正対象項目名】図１０７
【補正方法】変更
【補正の内容】
【図１０７】
2015534005.tif 000034
【手続補正３６】
【補正対象書類名】図面
【補正対象項目名】図１０８
【補正方法】変更
【補正の内容】
【図１０８】
2015534005.tif 000035
【手続補正３７】
【補正対象書類名】図面
【補正対象項目名】図１０９
【補正方法】変更
【補正の内容】
【図１０９】
2015534005.tif 000036
【手続補正３８】
【補正対象書類名】図面
【補正対象項目名】図１１０
【補正方法】変更
【補正の内容】
【図１１０】
2015534005.tif 000037
【手続補正３９】
【補正対象書類名】図面
【補正対象項目名】図１１１
【補正方法】変更
【補正の内容】
【図１１１】
2015534005.tif 000038
【手続補正４０】
【補正対象書類名】図面
【補正対象項目名】図１１２
【補正方法】変更
【補正の内容】
【図１１２】
2015534005.tif 000039
【手続補正４１】
【補正対象書類名】図面
【補正対象項目名】図１１３
【補正方法】変更
【補正の内容】
【図１１３】
2015534005.tif 000040
【手続補正４２】
【補正対象書類名】図面
【補正対象項目名】図１１４
【補正方法】変更
【補正の内容】
【図１１４】
2015534005.tif 000041